(57)【要約】【課題】物品載置面上でこぼれた飲食物等により物品載置面上に配置された他の物品が汚れるのを抑えた椅子を提供する。【解決手段】椅子１は、床面上に配置される下部構造体１２と、下部構造体上に支持され、使用者を支持する座部４１と、下部構造体上に、座部に隣接する位置に支持され、上面が下部物品載置面７０ａである下部支持体７０と、下部支持体に上方に向かって立設された連結部７１と、下部支持体よりも上方で連結部に支持され、上面が上部物品載置面７２ａである上部支持体７２と、を備える。【選択図】図１
2019080612.tif 000002
【特許請求の範囲】
【請求項１】
床面上に配置される下部構造体と、
前記下部構造体上に支持され、使用者を支持する座部と、
前記下部構造体上に、前記座部に隣接する位置に支持され、上面が下部物品載置面である下部支持体と、
前記下部支持体に上方に向かって立設された連結部と、
前記下部支持体よりも上方で前記連結部に支持され、上面が上部物品載置面である上部支持体と、
を備える椅子。
【請求項２】
前記下部支持体及び前記上部支持体は、前記連結部から水平面に沿ってそれぞれ延びるとともに、上下方向に対向するように配置されている請求項１に記載の椅子。
【請求項３】
前記連結部のうち、前記連結部から前記下部支持体及び前記上部支持体が延びる側の外面に、電気的な差込み口が設けられている請求項２に記載の椅子。
【請求項４】
前記連結部の前記外面は、前記下部支持体及び前記上部支持体が延びる側に向かうに従い漸次、下方に向かうように傾斜している請求項３に記載の椅子。
【請求項５】
前記下部物品載置面は、前記座部の上面よりも下方に配置されている請求項１から４のいずれか一項に記載の椅子。
【発明の詳細な説明】
【技術分野】
【０００１】
本発明は、椅子に関する。
【背景技術】
【０００２】
従来、オフィスや公共施設等の執務空間や休憩エリア等においては、使用者がリラックスした姿勢で着座できるようなソファ装置等の椅子が設置されるケースが多く見られている。椅子では、椅子としての使い勝手をより良いものとするため、様々なオプション装置を取付けることが望まれている。
【０００３】
オプション装置は、椅子の着座空間と椅子の後方もしくは左右方向に隣接する空間とを区画し、椅子を使用することによって、使用者によりパーソナルな空間を提供可能とするパネル体や、電子機器や書籍等を載置可能とするテーブル等である。特に、椅子のオプション装置として着座面と左右方向に隣接した位置にテーブルを配設すると、使用者が手荷物や飲食物等を気軽に置くことができる物品載置面を形成することができるため、椅子としての使い勝手を向上させることができる（例えば、特許文献１及び２参照）。
【先行技術文献】
【特許文献】
【０００４】
【特許文献１】特許第５９３９７６３号公報
【特許文献２】特許第５９４７５２１号公報
【発明の概要】
【発明が解決しようとする課題】
【０００５】
しかしながら、これらの椅子においては、物品載置面が一つの平面として構成されるため、飲食物等とその他の物品とを同一平面に載置することになり、こぼれた飲食物等によってその他の物品が汚れてしまう可能性があった。特に、椅子においては、椅子に着座しながらスマートフォンやノートパソコン等の電子機器を使用するケースが考えられるが、飲食物等をこぼしてしまうと電子機器が破損してしまう虞がある。
【０００６】
本発明は、このような問題点に鑑みてなされたものであって、物品載置面上でこぼれた飲食物等により物品載置面上に配置された他の物品が汚れるのを抑えた椅子を提供することを目的とする。
【課題を解決するための手段】
【０００７】
上記課題を解決するために、この発明は以下の手段を提案している。
本発明の椅子は、床面上に配置される下部構造体と、前記下部構造体上に支持され、使用者を支持する座部と、前記下部構造体上に、前記座部に隣接する位置に支持され、上面が下部物品載置面である下部支持体と、前記下部支持体に上方に向かって立設された連結部と、前記下部支持体よりも上方で前記連結部に支持され、上面が上部物品載置面である上部支持体と、を備えることを特徴としている。ここで言う下部構造体上とは、下部構造体上に直接配置されていることだけでなく、下部構造体を覆うように配置されていることも意味する。
この発明によれば、下部物品載置面よりも上方に上部物品載置面が配置されている。このため、例えば、下部物品載置面に置いた飲食物等がこぼれたときに、上部物品載置面に配置された他の物品が汚れるのを抑えることができる。
【０００８】
また、上記の椅子において、前記下部支持体及び前記上部支持体は、前記連結部から水平面に沿ってそれぞれ延びるとともに、上下方向に対向するように配置されていてもよい。
この発明によれば、両支持体が上下方向に重なるように配置されるため、両支持体及び連結部を水平面に沿う方向に小型化することができる。
【０００９】
また、上記の椅子において、前記連結部のうち、前記連結部から前記下部支持体及び前記上部支持体が延びる側の外面に、電気的な差込み口が設けられていてもよい。ここで言う、電気的な差込み口とは、コンセント及びＬＡＮポート等を意味する。
この発明によれば、下部物品載置面及び上部物品載置面のいずれかに置いた電子機器を差込み口に接続することが可能となり、椅子の使い勝手を良好にすることができる。
【００１０】
また、上記の椅子において、前記連結部の前記外面は、前記下部支持体及び前記上部支持体が延びる側に向かうに従い漸次、下方に向かうように傾斜していてもよい。
この発明によれば、差込み口が斜め上方を向いているため、差込み口の視認性を高めることができる。
【００１１】
また、上記の椅子において、前記下部物品載置面は、前記座部の上面よりも下方に配置されていてもよい。
この発明によれば、下部物品載置面に置いた飲食物等がこぼれても、座部、及び座部に座る使用者に飲食物等が付着することを抑制することができる。
【発明の効果】
【００１２】
本発明の椅子によれば、物品載置面上でこぼれた飲食物等により物品載置面上に配置された他の物品が汚れるのを抑えることができる。
【図面の簡単な説明】
【００１３】
【図１】本発明の一実施形態のクッション装置の斜視図である。
【図２】同クッション装置を分解した斜視図である。
【図３】同クッション装置の装置本体における下部構造体の斜視図である。
【図４】同装置本体のオプション支持部及びパネル装置を分解した斜視図である。
【図５】図１中の切断線Ａ１−Ａ１の断面図である。
【図６】図１中の切断線Ａ２−Ａ２の断面図である。
【図７】図２中の切断線Ａ３−Ａ３の断面図である。
【図８】同クッション装置の中間パネルを分解した側面図である。
【図９】同ソファシステムのハイテーブルの斜視図である。
【図１０】本発明の変形例の実施形態におけるユニットテーブルの斜視図である。
【図１１】本発明の変形例の実施形態におけるユニットテーブルの斜視図である。
【発明を実施するための形態】
【００１４】
以下、本発明に係る椅子の一実施形態を、椅子が着座者の身体を支持するクッション装置である場合を例にとって図１から図１１を参照しながら説明する。
図１及び図２に示すように、本実施形態のクッション装置１は、装置本体１１と、オプション装置であるテーブル６６及びパネル装置８１と、を備えている。クッション装置１は、装置本体１１に、上記テーブル６６及びパネル装置８１等のオプション装置を選択的に取付けることにより、クッション装置１の構成を様々に変更することができる。
以下では、装置本体１１に着座する使用者にとっての前後方向（第２方向）Ｘ、左右方向（第１方向）Ｙ、及び上下方向Ｚを基準にして説明する。例えば、前後方向Ｘ及び左右方向Ｙは、水平面に沿う方向であり、前後方向Ｘと左右方向Ｙとは、互いに直交（交差）する。
【００１５】
装置本体１１は、下部構造体１２と、下部構造体１２に支持された身体支持部４０と、を備えている。本実施形態では、身体支持部４０は座部４１と、背凭れ部５１と、を備えている。下部構造体１２は、床面Ｆ上に配置され、テーブル６６及びパネル装置８１が取付けられる。
【００１６】
図２及び図３に示すように、下部構造体１２は、床面Ｆ上に配置された脚部１４と、複数のブラケット１５と、を有している。脚部１４は、複数の脚体１７と、脚体１７間に架設された連結部材１８と、を有している。本実施形態では、脚部１４は、複数の脚体１７として、一対の端脚体１７Ａと、一対の端脚体１７Ａの間に配された中間脚体１７Ｂとからなる３つの脚体１７を備えている。
３つの脚体１７は、左右方向Ｙに互いに間隔を空けて配置されている。各脚体１７は、は、前後方向Ｘに互いに間隔を空けて配置された一対の脚本体１９と、一対の脚本体１９間を連結する横梁２０と、を有している。各脚本体１９は、床面Ｆ上に配置され、上下方向Ｚに沿って延びている。脚本体１９の下端部には、アジャスタ２１が取付けられている。アジャスタ２１は、脚本体１９の高さを調節する。
横梁２０は、前後方向Ｘに沿って延び、一対の脚本体１９の上端部同士を連結している。脚本体１９及び横梁２０は、金属製の丸パイプ等により形成されている。
なお、脚部１４が有する脚体１７の数は３つに限定されず、２つでもよいし、４つ以上でもよい。
【００１７】
連結部材１８は、各脚体１７間に架設されており、一対のビーム（杆状部材）２３を有している。各ビーム２３は左右方向Ｙに沿って延びていて、それぞれ３つの脚体１７に支持されている。一対のビーム２３は、前後方向Ｘに互いに間隔を空けて配置されている。各ビーム２３は、金属製の丸パイプ等により形成されている。各ビーム２３の左右方向Ｙの端部には、板状の端部部材２４が共通して取付けられている。端部部材２４が各端脚体１７Ａの横梁２０の側面にビス等により固定されることで、連結部材１８は端脚体１７Ａに固定されている。また、中間脚体１７Ｂの横梁２０には、図示しないが一対のビーム２３が嵌合可能な嵌合凹部が上方に開口するように形成されていて、それぞれの嵌合凹部にビーム２３が嵌合されている。中間脚体１７Ｂの横梁２０の上面には前後方向Ｘに沿って、図示しない嵌合凹部に嵌合された一対のビーム２３を横断するようにして固定板２５が配されている。固定板２５は、ビス等により中間脚体１７Ｂの横梁に固定されている。すなわち、固定板２５及び中間脚体１７Ｂの横梁２０における図示しない嵌合凹部により、一対のビーム２３は中間脚体１７Ｂに固定されている。
【００１８】
図３及び図４に示すように、ブラケット１５は前後方向Ｘに沿って延びている。ブラケット１５は、下片２８と、一対の側片２９と、一対の上片３０と、を有している。下片２８は、平面視において前後方向Ｘに長い矩形状に形成され、水平面に沿うように配置されている。下片２８の後方の端部には、上下方向Ｚに貫通する後方貫通孔２８ａが形成されている。後方貫通孔２８ａ及びボルト６１で、後述するオプション装置であるバックパネル８２の雌ネジ部９２ａを取付ける後方取付け部（取付け部）２８Ａを構成する。
同様に、図５に示すように、下片２８の前方の端部には、上下方向Ｚに貫通する前方貫通孔２８ｂが形成されている。前方貫通孔２８ｂ及びボルト６１で、テーブル６６の後述するハイテーブル６９の雌ネジ部８０ｃを取付ける前方取付け部（取付け部）２８Ｂを構成する（図５参照）。下片２８のうち一対のビーム２３が接続される部分には、開口部（不図示）が形成されている。
図３及び図４に示すように、各側片２９は、下片２８の左右方向Ｙの各端部から上方に向かって延びている。
各側片２９の後端部には、後方（先端側）に向かうに従い漸次、上方に向かうように傾斜して斜め下方を向く第１受け面２９ａが形成されている。後方貫通孔２８ａは、各第１受け面２９ａよりも前方に配置されている。
【００１９】
各上片３０は、一対のビーム２３の上方で前後方向Ｘに延びている。また、一対の上片３０は、各側片２９の上端部から左右方向Ｙであって互いに離間するする方向に張出している。すなわち、一対の側片２９のうち右側の側片２９から、一方の上片３０が右側に向かって張出している。一対の側片２９のうち左側の側片２９から、他方の上片３０が左側に向かって張出している。各上片３０の前後方向Ｘの各端部には、上下方向Ｚに貫通する貫通孔３０ａがそれぞれ形成されている。
ブラケット１５の後端部には、脚部１４の連結部材１８から後方（前後方向Ｘの一方側）に突出する後方オプション支持部（オプション支持部）１５ａが形成されている。後方オプション支持部１５ａは、後方貫通孔２８ａ、及び一対の第１受け面２９ａを有している。後方オプション支持部１５ａが連結部材１８から突出する突出方向は、後方である。前方は、後方オプション支持部１５ａの突出方向とは反対側である。
【００２０】
図３に示すように、各側片２９の前端部には、前方に向かうに従い漸次、上方に向かうように傾斜して斜め下方を向く第１受け面２９ｂが形成されている。図５に示すように、前方貫通孔２８ｂは、各第１受け面２９ｂよりも後方に配置されている。
ブラケット１５の前端部には、脚部１４の連結部材１８から前方（前後方向Ｘの他方側）に突出する前方オプション支持部（オプション支持部）１５ｂが形成されている。前方オプション支持部１５ｂは、前方貫通孔２８ｂ、及び一対の第１受け面２９ｂを有している。前方オプション支持部１５ｂが連結部材１８から突出する突出方向は、前方である。
図３に示すように、各側片２９のうち一対のビーム２３に接合する部分には、切欠き２９ｃが形成されている。ブラケット１５は、一対の側片２９間に隙間を形成することにより、中空状に形成されている。
【００２１】
図２に示すように、複数のブラケット１５は、左右方向Ｙに互いに間隔を空けて配置されている。複数のブラケット１５は、左右方向Ｙに一定のピッチで配置されていることが好ましい。
各ブラケット１５に後方オプション支持部１５ａ及び前方オプション支持部１５ｂが形成されているため、後方オプション支持部１５ａ、前方オプション支持部１５ｂのそれぞれは、連結部材１８に左右方向Ｙに互い間隔を空けて複数設けられている。
各ブラケット１５は、下片２８の開口部、及び側片２９の切欠き２９ｃ内に一対のビーム２３を配置した状態で、一対のビーム２３に溶接等により固定されている。
【００２２】
図２及び図５に示すように、連結部材１８の一対のビーム２３には、配線トレー３３が着脱可能に取付けられている。配線トレー３３は、底板３４と、複数の後方腕部３５と、複数の前方腕部３６と、を有している。
底板３４は、平面視で左右方向Ｙに長い矩形状に形成されている。後方腕部３５は、左右方向Ｙに見たときに、後方に向かって凸となるように湾曲した半円形状に形成され、これにより前方に開口する凹部を形成している。後方腕部３５は、底板３４の後方の縁部に立設されている。この例では、後方腕部３５が、底板３４の後方の縁部に左右方向Ｙに互いに間隔を空けて対をなして配置されている。後方腕部３５には、前方に開口する凹部に嵌合するようにして、一対のビーム２３のうちの後方のビーム２３が係合されている。
【００２３】
前方腕部３６は、左右方向Ｙに見たときに、前方に向かって凸となるように湾曲した半円形状に形成され、これにより後方に開口する凹部を形成している。前方腕部３６は、底板３４の前方の縁部に立設されている。この例では、前方腕部３６が底板３４の前方の縁部に左右方向Ｙに互いに間隔を空けて対をなして配置されている。前方腕部３６には、後方に開口する凹部に嵌合するようにして、一対のビーム２３のうちの前方のビーム２３が係合されている。
例えば、底板３４、一対の後方腕部３５、及び一対の前方腕部３６は、弾性を有する金属板をプレス加工すること等により一体に形成されている。
【００２４】
各後方腕部３５を後方に向かって弾性的に変形させ、各前方腕部３６を前方に向かって弾性的に変形させることにより、一対のビーム２３から配線トレー３３を取外すことができる。
一方で、各後方腕部３５を後方に向かって弾性的に変形させ、各前方腕部３６を前方に向かって弾性的に変形させた状態で、一対のビーム２３を各後方腕部３５と各前方腕部３６とで前後方向Ｘに挟むように配置する。各後方腕部３５及び各前方腕部３６を復元変形させると、各後方腕部３５及び各前方腕部３６が一対のビーム２３に係合し、一対のビーム２３に配線トレー３３が取付けられる。
【００２５】
図６に示すように、一対のビーム２３の間となる配線トレー３３上の空間が、後述するユニットテーブル６７の配線ケーブル７５が通される配線挿通空間Ｓ１である。
配線挿通空間Ｓ１を配線ケーブル７５が通ることにより、配線ケーブル７５が外部に露出しないため、装置本体１１としての体裁を良好にすることができる。
【００２６】
図５に示すように、座部４１には使用者が着座可能である。座部４１は、座フレーム４２と、座クッション４３と、を有している。座フレーム４２は、底板４５と、上板４６と、前板４７と、を有している。
底板４５は、水平面に沿って配置されている。底板４５には、被連結部となる鬼目ナット４９が埋設されている。鬼目ナット４９は、底板４５の下面から下方に露出して開口している。鬼目ナット４９は、ブラケット１５の上片３０の貫通孔３０ａの上方となる位置に配置されている。
上板４６は、底板４５の上方に底板４５との間に隙間を空けて配置されている。前板４７は、底板４５の前端部と上板４６の前端部とを連結している。前板４７は、底板４５と上板４６との間の隙間を保持する。
座クッション４３は、例えばクッション材を、表皮材で覆って構成されている。クッション材は、ウレタンフォーム材等で形成されている。表皮材は、皮革、布、ビニール等の樹脂等で形成されている。座クッション４３は、上板４６の上方を覆い、さらに、底板４５、上板４６、及び前板４７の前方を覆っている。
なお、座フレーム４２の左右方向Ｙの端部は、座クッション４３によりそれぞれ側方まで張りくるまれている。
【００２７】
背凭れ部５１は、背フレーム５２と、背クッション５３と、を有している。背フレーム５２は、背面板５５と、第１前面板５６と、第２前面板５７と、を有している。
背面板５５は、座フレーム４２の底板４５の後端部から上方に向かって延びている。第１前面板５６は、背面板５５の上端部から、前方に向かうに従い漸次、下方に向かうように傾斜した向きに配置されている。第１前面板５６の下端部は、底板４５から上方に離間している。
第２前面板５７は、底板４５の前後方向Ｘの中間部から上方に向かって延びている。第２前面板５７の上端部は、第１前面板５６の下端部に連結されている。第２前面板５７は、座フレーム４２の上板４６の後端部に連結されている。
背クッション５３は、例えば座クッション４３と同様に、クッション材及び表皮材で構成されている。背クッション５３は、背面板５５及び第１前面板５６の上方を覆い、さらに、第２前面板５７の上部の前方を覆っている。背クッション５３は、背面板５５の後方も覆っている。
なお、背フレーム５２の左右方向Ｙの端部は、背クッション５３によりそれぞれ側方まで張りくるまれている。
このように構成された座部４１及び背凭れ部５１は、座部４１及び背凭れ部５１上に乗る使用者を支持する。
【００２８】
図５に示すように、座部４１及び背凭れ部５１は、ブラケット１５上に配置されている。このブラケット１５の上片３０の貫通孔３０ａには、ボルト（連結部材）６１がそれぞれ挿入されている。これらのボルト６１は、鬼目ナット４９に嵌め合っている。座部４１及び背凭れ部５１は、下部構造体１２のブラケット１５に支持された状態で、ブラケット１５に固定されている。下部構造体１２の複数のブラケット１５は、座部４１及び背凭れ部５１を下方から支持する。
なお、連結部材１８に支持されている全てのブラケット１５が座部４１及び背凭れ部５１を支持しているとは限られず、座部４１同士の間にブラケット１５が配されていてもよい。また、ブラケット１５のうち、座部４１及び背凭れ部５１を支持しているもの全てが座部４１及び背凭れ部５１に固定されているとは限られず、座部４１の鬼目ナット４９と対応する位置にブラケット１５を配して連結するとともに、当該ブラケット１５と左右方向Ｙに位置をずらして座部４１の下方にて他のブラケット１５を配するようにしてもよい。
【００２９】
図１及び図２に示すように、テーブル６６は、オプション装置であるユニットテーブル６７、簡易テーブル６８、及びハイテーブル６９（図９参照）を有している。なお、ユニットテーブル６７、簡易テーブル６８、及びハイテーブル６９は、装置本体１１の複数のブラケット１５に着脱可能に取付けられる。
図２及び図６に示すように、ユニットテーブル６７は、下棚（下部支持体）７０と、壁部（連結部）７１と、上棚（上部支持体）７２と、を有している。下棚７０及び上棚７２は、板状に形成されている。
下棚７０は、水平面に沿って延び、平面視で前後方向Ｘに長い矩形状に形成されている。下棚７０は、壁部７１の後述する後方壁部７１ｂから前方（（棚７０，７２が延びる側））に向かって延びている。
下棚７０の上面は、物品が置かれる下部物品載置面７０ａとして機能する。下部物品載置面７０ａとしては、物品として飲食物等が置かれる載置面として利用されることが好ましい。下棚７０の前端部は、上棚７２の前端部よりも前方に突出している。図２に示すように、下部物品載置面７０ａは、座部４１の上面よりも下方に配置されている。
【００３０】
図６に示すように、下棚７０の前後方向Ｘの中間部には、上下方向Ｚに貫通する貫通孔７０ｂが形成されている。貫通孔７０ｂは、後述する前方壁部７１ａの下端部と後方壁部７１ｂの下端部との間に形成されている。下棚７０には、被連結部となる鬼目ナット４９が埋設されている。鬼目ナット４９は、下棚７０の下面から下方に露出し開口している。鬼目ナット４９は、ブラケット１５の上片３０の貫通孔３０ａの上方となる位置に配置されている。
【００３１】
壁部７１は、下棚７０の後端部に上方に向かって立設されている。壁部７１は、前方壁部７１ａと、後方壁部７１ｂと、を有している。
後方壁部７１ｂは、下棚７０の後端部に上方に向かって立設されている。
前方壁部７１ａは、後方壁部７１ｂよりも前方に配置されている。前方壁部７１ａの前方の外面は、前方に向かうに従い漸次、下方に向かうように傾斜している。前方壁部７１ａのうち上下方向Ｚの中間部には、前後方向Ｘに貫通する貫通孔７１ｃが形成されている。貫通孔７１ｃ内には、接続ユニット７４が取付けられている。接続ユニット７４の前方の外面は、前方壁部７１ａの前方の外面に沿っている。接続ユニット７４の前方の外面には、コンセント（電気的な差込み口）７４ａが設けられている。
なお、電気的な差込み口はコンセント７４ａであるとしたが、電気的な差込み口はこれに限定されず、ＬＡＮ（Local Area Network）ポートや、ＵＳＢ（Universal Serial Bus）ポート等でもよい。
【００３２】
接続ユニット７４の後面には、配線ケーブル７５の一方の端部が電気的に接続されている。配線ケーブル７５は、接続ユニット７４から前方壁部７１ａと後方壁部７１ｂとの間を通って下方に向かって延び、下棚７０の貫通孔７０ｂ内に挿入されている。配線ケーブル７５は、配線トレー３３上の配線挿通空間Ｓ１で左右方向Ｙに引き回されている。配線ケーブル７５の他方の端部には、図示しないプラグが接続されている。
【００３３】
上棚７２は、下棚７０よりも上方で壁部７１に支持されている。この例では、上棚７２は、壁部７１の後方壁部７１ｂの上端部に設けられ、後方壁部７１ｂから水平面に沿って前方に延びている。上棚７２は、前方壁部７１ａにより下方から支持されている。上棚７２の上面は、物品が置かれる上部物品載置面７２ａとして機能する。上部物品載置面７２ａとしては、物品としてスマートフォンやノートパソコン等の電子機器等が置かれる載置面として利用されることが好ましい。上部物品載置面７２ａは、下部物品載置面７０ａよりも上方に配置されている。このため、例えば、下部物品載置面７０ａに置いた飲食物等がこぼれたときに、上部物品載置面７２ａに配置された他の物品が汚れるのが抑えられる。
【００３４】
図２に示すように、上部物品載置面７２ａは、座部４１の上面よりも上方であって、背凭れ部５１の上端部よりも下方に配置されている。上棚７２は、下棚７０と上下方向Ｚに対向するように配置されている。
上棚７２の左右方向Ｙの長さと前方壁部７１ａの左右方向Ｙの長さと、後方壁部７１ｂの左右方向Ｙの長さとは、互いに同等である。下棚７０の左右方向Ｙの長さは、上棚７２の左右方向Ｙの長さよりも長い。下棚７０、前方壁部７１ａ、後方壁部７１ｂ、及び上棚７２それぞれの左右方向Ｙの中央部は、互いに一致している。
前方壁部７１ａ、後方壁部７１ｂ、及び上棚７２を左右方向Ｙに挟むように、一対の化粧板７６が配置されている。化粧板７６は、左右方向Ｙに見たときに上縁部よりも下縁部が長い台形状に形成されている。
上棚７２の左右方向Ｙの長さ及び一対の化粧板７６の左右方向Ｙの長さ（厚さ）の合計と、下棚７０の左右方向Ｙの長さとは、互いに同等である。
ユニットテーブル６７は、左右方向Ｙに見たときにコ字状（Ｃ字状）に形成されている。
【００３５】
図２及び図６に示すように、ユニットテーブル６７の下棚７０は、下部構造体１２のブラケット１５上であって、座部４１に対して左側に隣接する位置に支持されている。このブラケット１５の上片３０の貫通孔３０ａには、前述のボルト６１がそれぞれ挿入されている。これらのボルト６１は、被連結部となる鬼目ナット４９に嵌め合っている。下棚７０は、下部構造体１２のブラケット１５に支持された状態で、ブラケット１５に固定されている。
【００３６】
図２に示すように、簡易テーブル６８は、天板７７を有している。天板７７には、図示しない鬼目ナットが埋設されている。天板７７の上面とユニットテーブル６７の下部物品載置面７０ａとは、上下方向Ｚにおいて互いに同等である。
なお、ハイテーブル６９は、パネル装置８１の後述するバックパネル８２の後で説明する。
【００３７】
図１及び図２に示すように、パネル装置８１は、オプション装置であるバックパネル８２、サイドパネル８３、及び第１中間パネル８４を有している。パネル８２，８３，８４は、上下方向Ｚに沿うように配置されている。
図２及び図７に示すように、バックパネル８２は、パネル本体８６と、一対の固定機構８７と、を有している。パネル本体８６は、例えば、有色のアクリル樹脂等によって矩形の平板状に形成されている。
パネル本体８６は、厚さ方向が前後方向Ｘとなるように配置されている。
【００３８】
パネル本体８６には、下面に開口するとともに上方に向かって延びる保持穴８６ａが形成されている。保持穴８６ａは、パネル本体８６の上下方向Ｚの中間部まで延びている。例えば、保持穴８６ａの上下方向Ｚに直交する断面形状は、前後方向Ｘ及び左右方向Ｙに沿う辺を有する矩形状である。保持穴８６ａは、左右方向Ｙに互いに間隔を空けて一対形成されている。
パネル本体８６のうち、各保持穴８６ａの下端部の前方の部分には、保持穴８６ａを前方に露出させる切欠き８６ｂが形成されている。切欠き８６ｂは、下方に開口している。切欠き８６ｂの左右方向Ｙの長さと保持穴８６ａ左右方向Ｙの長さとは、互いに同等である。
【００３９】
図４及び図７に示すように、固定機構８７は、本体部８９と、支持棒９０と、を有している。本体部８９は、固定部材９２と、一対の受け部材９３と、上部固定片９４と、下部固定片９５と、一対の支持部材９６と、を有している。
固定部材９２は、前後方向Ｘに長い直方体状に形成されている。固定部材９２の左右方向Ｙの長さとブラケット１５の一対の側片２９間の距離とは、互いに同等であり、固定部材９２は一対の側片２９間に嵌合される。固定部材９２の下面のうち前方の部分には、ボルト６１に嵌め合う雌ネジ部（被取付け部）９２ａが形成されている。雌ネジ部９２ａは、ブラケット１５の後方貫通孔２８ａに挿入されたボルト６１に嵌め合うことにより、後方オプション支持部１５ａに取付けられている。
【００４０】
各受け部材９３は、固定部材９２の右側面及び左側面にそれぞれ設けられている。すなわち、一対の受け部材９３は、固定部材９２を左右方向Ｙに挟むように配置されている。各受け部材９３の前方の面は、前方（先端側）に向かうに従い漸次、下方に向かうように傾斜して斜め上方を向く第２受け面９３ａである。この例では、本体部８９に一対の第２受け面９３ａが形成されている。一対の第２受け面９３ａは、雌ネジ部９２ａよりも後方に配置されている。各第２受け面９３ａは、ブラケット１５の第１受け面２９ａに接触する（図３参照）。固定部材９２及び一対の受け部材９３の全体としての左右方向Ｙの長さは、ブラケット１５の一対の側片２９間の距離よりも長い。固定部材９２の前端部（先端部）は、ブラケット１５における下片２８上であって一対の側片２９の間に配置されている。
【００４１】
ブラケット１５の後方オプション支持部１５ａとバックパネル８２の本体部８９とは、雌ネジ部９２ａが後方取付け部２８Ａに取付けられ、第２受け面９３ａが第１受け面２９ａに接触することにより、互いに嵌合している。すなわち、本体部８９は、ブラケット１５の後方オプション支持部１５ａに内嵌している。
なお、本体部８９には第２受け面９３ａが１つ形成されていればよい。この場合、ブラケット１５には、１つの第２受け面９３ａに対応する第１受け面２９ａ及び第１受け面２９ｂがそれぞれ１つだけ形成されていればよい。
【００４２】
上部固定片９４及び下部固定片９５は、前後方向Ｘが厚さ方向となる板状に形成されている。上部固定片９４は、固定部材９２の後端部の上面から、上方に向かって延びている。上部固定片９４には、前後方向Ｘに貫通する貫通孔９４ａが形成されている。下部固定片９５は、固定部材９２の後端部の下面から、下方に向かって延びている。下部固定片９５には、前後方向Ｘに貫通する貫通孔９５ａが形成されている。
固定部材９２及び一対の受け部材９３の全体としての左右方向Ｙの長さ、上部固定片９４の左右方向Ｙの長さ、及び下部固定片９５の左右方向Ｙの長さは、互いに同等である。これらの長さは、パネル本体８６の切欠き８６ｂの左右方向Ｙの長さよりも短い。
下部固定片９５の左右方向Ｙの端部と一対の受け部材９３の下面とは、補強リブ９８によりそれぞれ接合されていることが好ましい。
【００４３】
一対の支持部材９６は、下部固定片９５を左右方向Ｙに挟むように配置されている。各支持部材９６は、第１支持片１００と、第２支持片１０１と、を有している。第１支持片１００は、水平面に沿って延びている。第１支持片１００は、下部固定片９５よりも下方に配置され、下部固定片９５よりも後方に突出している。第２支持片１０１は、第１支持片１００の前端部から上方に向かって延びている。一対の支持部材９６の第１支持片１００は、左右方向Ｙに一体化されていてもよい。
固定部材９２、一対の受け部材９３、上部固定片９４、下部固定片９５、一対の支持部材９６、及び一対の補強リブ９８は、ダイキャストによって金属製部材として一体的に形成されていている。また、金属製の板材等をプレス加工したり、溶接したりすることにより、これらの部材を一体に形成してもよい。
【００４４】
図４及び図７に示すように、支持棒９０は、上下方向Ｚに沿って延びる棒状に形成されている。支持棒９０の上下方向Ｚに直交する断面形状は、パネル本体８６の保持穴８６ａに挿入可能な矩形状である。支持棒９０の下端部には、一対の雌ネジ部９０ａ，９０ｂが形成されている。雌ネジ部９０ａは、雌ネジ部９０ｂよりも上方に配置されている。
雌ネジ部９０ａには、上部固定片９４の貫通孔９４ａに挿入されたボルト６１が嵌め合っている。雌ネジ部９０ｂには、下部固定片９５の貫通孔９５ａに挿入されたボルト６１が嵌め合っている。これら２本のボルト６１により、本体部８９に支持棒９０が固定されている。
本実施形態では、１本のブラケット１５の後方オプション支持部１５ａに、１つの固定機構８７が取付けられる。
【００４５】
パネル本体８６の一対の保持穴８６ａに一対の固定機構８７の支持棒９０を挿入することにより、一対の固定機構８７にパネル本体８６が取付けられる。このとき、パネル本体８６の下端部が、固定機構８７の第１支持片１００によりパネル本体８６の下方から支持される。パネル本体８６、及び一対の固定機構８７により、バックパネル８２が構成される。すなわち、本実施形態では、２本のブラケット１５に１つのバックパネル８２が取付けられる。
一方で、各支持棒９０に対してパネル本体８６を上方に引き上げることにより、一対の固定機構８７からパネル本体８６が取外される。
なお、バックパネル８２の雌ネジ部９２ａに後方貫通孔２８ａを介して挿入されたボルト６１を嵌め合わせることによって、後方取付け部２８Ａにバックパネル８２の雌ネジ部９２ａが取付けられたときに、第１受け面２９ａと第２受け面９３ａとが接触するため、バックパネル８２が、雌ネジ部９２ａに対して第２受け面９３ａが上方に移動するように後方取付け部２８Ａ周りに回転すること（図４において矢印Ｂ１のように回転すること）が規制される。
【００４６】
以上のように、ユニットテーブル６７、簡易テーブル６８、及びバックパネル８２を下部構造体１２のブラケット１５に取付けるのに、ボルト６１を共通に用いている。このため、装置本体１１を簡易的かつ安価に構成することができる。
【００４７】
なお、図１及び図２に示すように、ソファシステム１は、一対のバックパネル８２を備えている。一対のバックパネル８２は、左右方向Ｙに並べて配置されている。以下では、一対のバックパネル８２を区別して言うときに、装置本体１１に着座する使用者にとっての右側のバックパネル８２をバックパネル８２Ａと言い、左側のバックパネル８２をバックパネル８２Ｂと言う。
すなわち、バックパネル８２Ａの構成については、符号に「Ａ」を付加して示し、バックパネル８２Ｂの構成については、符号に「Ｂ」を付加して示す。例えば、バックパネル８２Ａのパネル本体８６をパネル本体（第１パネル体）８６Ａと言い、バックパネル８２Ｂのパネル本体８６をパネル本体（第２パネル体）８６Ｂと言う。
【００４８】
図９に示すように、ハイテーブル６９は、天板７８と、第１支持部材７９と、第２支持部材８０と、を有している。
天板７８は、平面視において矩形状に形成され、水平面に沿うように配置されている。
第１支持部材７９は、上下方向Ｚに沿って延びる棒状に形成されている。第１支持部材７９の上端部は、天板７８の下面に接続されている。第１支持部材７９の上端部は、平面視において天板７８の対角線の中心からずらした位置に接続されている。天板７８は、図示しない回転機構により、第１支持部材７９の軸線周りに回転可能に第１支持部材７９に接続されていることが好ましい。
【００４９】
第２支持部材８０は、第１支持部材７９の下端部から後方に向かって延びている。第２支持部材８０の後端部には、バックパネル８２の固定部材９２、一対の受け部材９３と同一の構成の固定部材８０ａ、一対の受け部材８０ｂが設けられている。固定部材８０ａの下面には、バックパネル８２の雌ネジ部９２ａと同一の構成の雌ネジ部（被取付け部）８０ｃが形成されている。受け部材８０ｂの後方の面は、後方に向かうに従い漸次、下方に向かうように傾斜して斜め上方を向く第２受け面８０ｄである。
このように構成されたハイテーブル６９は、ボルト６１を用いてブラケット１５の前方取付け部２８Ｂに取付けられる。
【００５０】
図２に概略構成を示すように、サイドパネル８３は、バックパネル８２のパネル本体８６、固定機構８７と同様に構成されたパネル本体１０６、固定機構１０７を有している。固定機構１０７が下部構造体１２の端部部材２４に締結部材等により取付けられることにより、下部構造体１２にサイドパネル８３が固定されている。
【００５１】
図８に示すように、第１中間パネル８４は、パネル本体（第３パネル体）１１１と、前方固定機構１１２と、後方固定機構１１３と、を有している。
パネル本体１１１は、矩形の平板状に形成され、厚さ方向が左右方向Ｙとなるように配置されている。パネル本体１１１の前縁部１１１ａ及び後縁部１１１ｂは、上下方向Ｚに沿って延びている。パネル本体１１１の下縁部１１１ｃ及び上縁部（図８では不図示）は、前後方向Ｘに沿って延びている。
パネル本体１１１の下方かつ後方の隅部には、パネル本体１１１を左右方向Ｙに貫通する切欠き１１５が形成されている。
切欠き１１５の上縁部１１５ａは、パネル本体１１１の後縁部１１１ｂにおける上下方向Ｚの中間部から前方に向かって延びている。切欠き１１５の前縁部１１５ｂは、パネル本体１１１の下縁部１１１ｃにおける前後方向Ｘの中間部から上方かつ後方に向かって斜めに延びている。
切欠き１１５は、ユニットテーブル６７の化粧板７６の形状に対応させて形成されている。
【００５２】
パネル本体１１１には、前方保持穴１１１ｄ及び後方保持穴１１１ｅが形成されている。前方保持穴１１１ｄは、後方保持穴１１１ｅよりも前方に配置されている。
前方保持穴１１１ｄは、パネル本体１１１の下縁部１１１ｃにおける前後方向Ｘの中間部から上方に向かって延びている。後方保持穴１１１ｅは、切欠き１１５の前縁部１１５ｂにおける前後方向Ｘの中間部から上方に向かって延びている。保持穴１１１ｄ，１１１ｅは、パネル本体１１１の上下方向Ｚの中間部まで延びている。
【００５３】
図８に示すように、前方固定機構１１２は、固定金具１１８と、支持棒１１９と、を有している。
固定金具１１８は、支持片１２１と、第１連結片１２２と、第２連結片１２３と、を有している。例えば、支持片１２１、第１連結片１２２、及び第２連結片１２３は、板状に形成されている。支持片１２１は、前後方向Ｘに沿って延びている。第１連結片１２２は、支持片１２１の前端部から、下方に向かって突出している。第２連結片１２３は、第１連結片１２２の下端部から、後方に向かって突出している。支持片１２１と第２連結片１２３との距離と、ユニットテーブル６７の下棚７０における上下方向Ｚの長さ（厚さ）とは、互いに同等である。
例えば、支持片１２１、第１連結片１２２、及び第２連結片１２３は、金属製の板材を折り曲げること等により一体に形成されている。
支持棒１１９は、上下方向Ｚに沿って延びる棒状に形成されている。支持棒１１９の下端部は、支持片１２１の前後方向Ｘの中間部に、溶接等により固定されている。
【００５４】
後方固定機構１１３は、固定金具１２６と、支持棒１２７と、を有している。
固定金具１２６は、支持片１２９と、連結片１３０と、下向片１３１と、を有している。例えば、支持片１２９、連結片１３０、及び下向片１３１は、板状に形成されている。支持片１２９は、前方に向かうに従い漸次、下方に向かうように傾斜している。支持片１２９は、ユニットテーブル６７の前方壁部７１ａに対応して傾斜している。連結片１３０は、支持片１２９の後端部から後方に向かって延びている。下向片１３１は、連結片１３０の後端部から下方に向かって垂下する。下向片１３１は、ユニットテーブル６７の上棚７２の後面、及び後方壁部７１ｂに沿って配置されている。
支持棒１２７は、上下方向Ｚに沿って延びる棒状に形成されている。支持棒１２７の下端部は、支持片１２９の前後方向Ｘの中間部に、溶接等により固定されている。
【００５５】
このように構成されたパネル本体１１１、前方固定機構１１２、及び後方固定機構１１３は、以下のようにしてユニットテーブル６７に固定される。
まず、ユニットテーブル６７の下棚７０の前方から前方固定機構１１２の固定金具１１８を後方に移動させ、下棚７０の前端部に前方固定機構１１２の固定金具１１８を係合させる。こうして、ユニットテーブル６７に前方固定機構１１２が取付けられる。
【００５６】
一方で、ユニットテーブル６７において、前方壁部７１ａに固定金具１２６の支持片１２９を直接配置し、上棚７２に連結片１３０を直接配置し、上棚７２の後面及び後方壁部７１ｂに沿って下向片１３１を配置する。こうして、ユニットテーブル６７に後方固定機構１１３が取付けられる。
固定機構１１２，１１３の支持棒１１９，１２７にパネル本体１１１の保持穴１１１ｄ，１１１ｅをそれぞれ外挿することにより、固定機構１１２，１１３にパネル本体１１１が取付けられる。パネル本体１１１、前方固定機構１１２、及び後方固定機構１１３により、第１中間パネル８４が構成される。
ユニットテーブル６７から第１中間パネル８４を取外す手順は、上記とは逆の手順となる。第１中間パネル８４は、装置本体１１にユニットテーブル６７が取付けられている部分に中間パネルを取付けるときに用いられる。
【００５７】
このように構成された、バックパネル８２Ａのパネル本体８６、サイドパネル８３のパネル本体１０６、第１中間パネル８４のパネル本体１１１は、使用者が着座する座部４１の周囲に形成される着座空間を仕切る。ここで言う着座空間を仕切るとは、座部４１と座部４１との間、座部４１と座部４１の前後方向Ｘ及び左右方向Ｙとの間、を仕切ることを意味する。
【００５８】
このように、パネル本体８６，１０６，１１１の下方の部分は、固定機構８７，１０７，１１２，１１３により支持されている。一方で、パネル本体８６，１０６，１１１の上方の部分は、図１及び図２に示す把持クリップ１４６，１８１で連結されている。
【００５９】
以上説明したように、本実施形態のクッション装置１によれば、下部物品載置面７０ａよりも上方に上部物品載置面７２ａが配置されている。このため、例えば、下部物品載置面７０ａに置いた飲食物等がこぼれたときに、上部物品載置面７２ａに配置された他の物品が汚れるのを抑えることができる。
下棚７０及び上棚７２は、連結部７１から水平面に沿ってそれぞれ延びるとともに、上下方向に対向する。これにより、棚７０，７２が上下方向Ｚに重なるように配置されるため、棚７０，７２及び連結部７１を水平面に沿う方向に小型化することができる。
【００６０】
連結部７１にコンセント７４ａが設けられているため、下部物品載置面７０ａ及び上部物品載置面７２ａのいずれかに置いた電子機器をコンセント７４ａに接続することが可能となり、クッション装置１の使い勝手を良好にすることができる。
前方連結部７１ａの前方の外面が傾斜しているため、コンセント７４ａが斜め上方を向いている。従って、コンセント７４ａの視認性を高めることができる。
下部物品載置面７０ａは、座部４１の上面よりも下方に配置されている。これにより、下部物品載置面７０ａに置いた飲食物等がこぼれても、座部４１、及び座部４１に座る使用者に飲食物等が付着することを抑制することができる。
【００６１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、図１０に示すように、ユニットテーブル１３６が下棚７０と、壁部（連結部）１３７と、上棚７２と、を有していてもよい。この変形例では、壁部１３７は、１枚の板材により形成され、下棚７０の後端部に上方に向かって立設されている。壁部１３７の上端部は、上棚７２よりも上方に突出している。
【００６２】
図１１に示すユニットテーブル１４１は、下棚７０と、連結部１４２と、上棚７２と、を有している。
連結部１４２は丸棒状に形成され、下棚７０の後端部に上方に向かって立設されている。連結部１４２は、下棚７０の左右方向Ｙの中間部に配置されている。連結部１４２の径は、下棚７０の左右方向Ｙの長さ、及び上棚７２の左右方向Ｙの長さのいずれよりも小さい。上棚７２は、連結部１４２の上端部から、前方及び後方にそれぞれ延びている。
【００６３】
前記実施形態では、椅子がクッション性を有する座部４１及び背凭れ部５１を有するクッション装置１であるとした、しかし、座部及び背凭れ部は、クッション性を有さない硬質のものであってもよい。椅子は、背凭れ部５１を備えなくてもよい。
ユニットテーブル６７に、コンセント７４ａが設けられていなくてもよい。
前方連結部７１ａの前方の外面は、上下方向Ｚに沿っていたり、前方に向かうに従い漸次、上方に向かうように傾いていてもよい。
下部物品載置面７０ａは、座部４１の上面よりも上方に配置されていてもよい。
【符号の説明】
【００６４】
１    クッション装置（椅子）
１２  下部構造体
４１  座部
７０  下棚（下部支持体）
７０ａ  下部物品載置面
７１，１３７  壁部（連結部）
７２  上棚（上部支持体）
７２ａ  上部物品載置面
７４ａ  コンセント（電気的な差込み口）
１４２  連結部
Ｆ    床面
【図１】
2019080612.tif 000003
【図２】
2019080612.tif 000004
【図３】
2019080612.tif 000005
【図４】
2019080612.tif 000006
【図５】
2019080612.tif 000007
【図６】
2019080612.tif 000008
【図７】
2019080612.tif 000009
【図８】
2019080612.tif 000010
【図９】
2019080612.tif 000011
【図１０】
2019080612.tif 000012
【図１１】
2019080612.tif 000013